(57)【要約】【課題】  対象空間に在する者の要望をより正確に反映することができる温熱環境制御システムおよび温熱環境制御方法を提供する。【解決手段】  温熱環境制御システムは、情報入力端末群４０（４１，４２，４３，４４）と、判定部１１と、制御変更部１２と、一括申告消去部１３とを備えている。情報入力端末群４０（４１，４２，４３，４４）は、温熱環境に対する申告を入力する。申告は、対象空間に在する複数の申告者によって入力される。判定部１１は、申告に基づいて温熱環境を変化させるか否かを判定する。制御変更部１２は、判定部１１によって温熱環境を変化させると判定されたときに、複数の申告者に共通の空気調和機７０の制御を変更する。一括申告消去部１３は、所定時間が経過したときに、申告のすべてを消去する。【選択図】      図１
2006090668.tif 000002
【特許請求の範囲】
【請求項１】
対象空間（ＲＭ）に在する複数の申告者（Ｐ１、Ｐ２・・・）による温熱環境に対する申告を入力する申告入力部（４０）と、
前記申告に基づいて前記温熱環境を変化させるか否かを判定する判定部（１１）と、
前記判定部（１１）によって前記温熱環境を変化させると判定されたときに、前記複数の申告者（Ｐ１、Ｐ２・・・）に共通の温熱環境提供手段（７０）の制御を変える制御変更部（１２）と、
所定時間が経過したときに、前記申告のすべてを消去する一括申告消去部（１３）と、
を備えた温熱環境制御システム。
【請求項２】
対象空間（ＲＭ）に在する複数の申告者（Ｐ１、Ｐ２・・・）による温熱環境に対する申告を入力する申告入力部（４０）と、
前記申告に基づいて前記温熱環境を変化させるか否かを判定する判定部（１１）と、
前記判定部（１１）によって前記温熱環境を変化させると判定されたときに、前記複数の申告者（Ｐ１、Ｐ２・・・）に共通の温熱環境提供手段（７０）の制御を変える制御変更部（１２）と、
前記申告のそれぞれを、前記申告が入力されたときから所定の有効時間が経過したときに個別に消去する個別申告消去部（５３）と、
を備えた温熱環境制御システム。
【請求項３】
１人の申告者からの前記申告の入力が複数回あった場合、前記申告が入力されたときとは、前記申告が最後に入力されたときである、
請求項２に記載の温熱環境制御システム。
【請求項４】
前記有効時間の残り時間を表示する残り時間表示部（２５）、
をさらに備えた請求項２または３に記載の温熱環境制御システム。
【請求項５】
前記申告が消去されたときに、消去されたことを報知する報知部（２４）、
をさらに備えた請求項１から４のいずれかに記載の温熱環境制御システム。
【請求項６】
前記制御変更部（１２）によって前記温熱環境提供手段（７０）の制御が変更されたときに、前記申告をすべて消去する、
請求項１から５のいずれかに記載の温熱環境制御システム。
【請求項７】
対象空間（ＲＭ）に在する複数の申告者（Ｐ１、Ｐ２・・・）による温熱環境に対する申告を入力するステップと、
前記申告に基づいて前記温熱環境を変化させるか否かを判定するステップと、
前記判定部（１１）によって前記温熱環境を変化させると判定されたときに、前記複数の申告者（Ｐ１、Ｐ２・・・）に共通の温熱環境提供手段（７０）の制御を変えるステップと、
前記所定時間が経過したときに、前記申告のすべてを消去するステップと、
を備えた温熱環境制御方法。
【請求項８】
対象空間（ＲＭ）に在する複数の申告者（Ｐ１、Ｐ２・・・）による温熱環境に対する申告を入力するステップと、
前記申告に基づいて前記温熱環境を変化させるか否かを判定するステップと、
前記判定部（１１）によって前記温熱環境を変化させると判定されたときに、前記複数の申告者（Ｐ１、Ｐ２・・・）に共通の温熱環境提供手段（７０）の制御を変えるステップと、
前記申告のそれぞれを、前記申告が入力されたときから所定の有効時間が経過したときに個別に消去するステップと、
を備えた温熱環境制御方法。
【発明の詳細な説明】
【技術分野】
【０００１】
本発明は、温熱環境制御システムおよび温熱環境制御方法に関する。
【背景技術】
【０００２】
多数の利用者に共通の空気調和機などの温熱環境提供手段がビルなどの建造物の対象空間に設置されている場合、多数の利用者が持つ温熱環境に対する不満を少なくするように、空気調和機などの制御を変更する必要がある。
従来では、多数の利用者にとって快適な温熱環境を作り出すための温熱環境制御システムとして、たとえば、複数のネットワーク端末からブラウザを利用して体感温度情報を収集し、任意のアルゴリズムを用いて空調システムの制御を判定するするシステム（特許文献１参照）、および鉄道車両の内部に設けられた「暑い」および「寒い」の２種類の申告スイッチからの申告数に応じて設定温度を選択するシステム（特許文献２参照）がある。
【特許文献１】特開２００４―１２５２７７号公報
【特許文献２】特開平８―２２５０１２号公報
【発明の開示】
【発明が解決しようとする課題】
【０００３】
上記従来の空調制御システムは、申告数の多寡を考慮して任意のアルゴリズムで空調制御されるが、申告した後、空気調和機に変化がなくても、たとえば「暑い」→「ちょうどよい」のように体感が変化することがある。このように体感が変化する場合であっても、利用者が現在の温熱環境に対して不快さを感じていないときには、以前に申告した「暑い」の申告を取り消すことが少ない。このため、多数の利用者からの温熱環境に対する要望を正確に反映できないという問題がある。
【０００４】
そこで、本発明の課題は、対象空間に在する者の要望をより正確に反映することができる温熱環境制御システムおよび温熱環境制御方法を提供することにある。
【課題を解決するための手段】
【０００５】
第１発明の温熱環境制御システムは、申告入力部と、判定部と、制御変更部と、一括申告消去部とを備えている。申告入力部は、温熱環境に対する申告を入力する。申告は、対象空間に在する複数の申告者によって入力される。判定部は、申告に基づいて温熱環境を変化させるか否かを判定する。制御変更部は、判定部によって温熱環境を変化させると判定されたときに、複数の申告者に共通の温熱環境提供手段の制御を変更する。一括申告消去部は、所定時間が経過したときに、申告のすべてを消去する。
【０００６】
ここでは、温熱環境制御システムが一括申告消去部を備えているので、複数の申告者からの申告を所定時間ごとに一斉に消去する。したがって、複数の申告者の温熱環境に対する要望を、より正確に反映する。
なお、本発明でいう温熱環境提供手段とは、温熱環境を提供する手段を意味するものであり、空気調和機や給湯機などの温熱環境を提供することができる種々の手段をいう。
【０００７】
第２発明の温熱環境制御システムは、申告入力部と、判定部と、制御変更部と、個別申告消去部とを備えている。申告入力部は、温熱環境に対する申告を入力する。申告は、対象空間に在する複数の申告者によって入力される。判定部は、申告に基づいて温熱環境を変化させるか否かを判定する。制御変更部は、判定部によって温熱環境を変化させると判定されたときに、複数の申告者に共通の温熱環境提供手段の制御を変更する。個別申告消去部は、申告のそれぞれを、申告が入力されたときから所定の有効時間が経過したときに個別に消去する。
【０００８】
ここでは、温熱環境制御システムが個別申告消去部を備えているので、申告のそれぞれを、申告が入力されたときから所定の有効時間が経過したときに個別に消去する。したがって、複数の申告者の温熱環境に対する要望を、より正確に反映する。しかも、それぞれの申告について有効時間の経過前に申告が消去される不具合が解消される。
第３発明の温熱環境制御システムでは、１人の申告者からの申告の入力が複数回あった場合、申告が入力されたときとは、申告が最後に入力されたときである。
【０００９】
ここでは、申告が最後に入力されたときから有効時間経過後に申告を消去するので、１人の申告者が有効時間内に複数回の申告を行った場合でも、最後の申告が入力されたときから有効時間の経過前に申告が消去される不具合が解消される。
【００１０】
第４発明の温熱環境制御システムは、有効時間の残り時間を表示する残り時間表示部をさらに備えている。
ここでは、有効時間の残り時間を表示する残り時間表示部をさらに備えているので、有効時間の残り時間を申告者は目で確認することができる。
第５発明の温熱環境制御システムは、申告が消去されたときに、消去されたことを報知する報知部をさらに備えている。
ここでは、申告が消去されたことを報知する報知部をさらに備えているので、申告が消去されたことを申告者へ知らせることができ、申告者に対して再度の申告を促すことが可能である。
【００１１】
第６発明の温熱環境制御システムは、制御変更部によって温熱環境提供手段の制御が変更されたときに、申告情報をすべて消去する。
ここでは、制御変更部によって温熱環境提供手段の制御が変更されたときに、申告情報は、すべて消去される。したがって、変更された温熱環境に対する不満について、新たな申告情報の入力が待ち受けられる。その結果、複数の申告者の温熱環境に対する要望を、より正確に反映することができる。
【００１２】
第７発明の温熱環境制御方法は、４つのステップを備えている。すなわち、温熱環境制御方法は、対象空間に在する複数の申告者による温熱環境に対する申告を入力するステップと、申告に基づいて温熱環境を変化させるか否かを判定するステップと、判定部によって温熱環境を変化させると判定されたときに、複数の申告者に共通の温熱環境提供手段の制御を変えるステップと、所定時間が経過したときに、申告のすべてを消去するステップとを備えている。
ここでは、複数の申告者からの申告を所定時間ごとに一斉に消去するステップを備えているので、複数の申告者の温熱環境に対する要望を、より正確に反映する。
【００１３】
第８発明の温熱環境制御方法は、４つのステップを備えている。すなわち、温熱環境制御方法は、対象空間に在する複数の申告者による温熱環境に対する申告を入力するステップと、申告に基づいて温熱環境を変化させるか否かを判定するステップと、判定部によって温熱環境を変化させると判定されたときに、複数の申告者に共通の温熱環境提供手段の制御を変えるステップと、申告のそれぞれを、申告が入力されたときから所定の有効時間が経過したときに個別に消去するステップとを備えている。
【００１４】
ここでは、申告のそれぞれを、申告が入力されたときから所定の有効時間が経過したときに個別に消去するステップを備えているので、複数の申告者の温熱環境に対する要望を、より正確に反映する。しかも、それぞれの申告について有効時間の経過前に申告が消去される不具合が解消される。
【発明の効果】
【００１５】
第１発明の温熱環境制御システムによれば、一括申告消去部によって複数の申告者からの申告を所定時間ごとに一斉に消去することができる。これによって、複数の申告者の温熱環境に対する要望を、より正確に反映することができる。
第２発明の温熱環境制御システムによれば、個別申告消去部によって、申告のそれぞれを、申告が入力されたときから所定の有効時間が経過したときに個別に消去することができる。したがって、複数の申告者の温熱環境に対する要望を、より正確に反映することができる。しかも、それぞれの申告について有効時間の経過前に申告が消去される不具合を解消することができる。
【００１６】
第３発明の温熱環境制御システムによれば、１人の申告者が有効時間内に複数回の申告を行った場合でも、最後の申告が入力されたときから有効時間の経過前に申告が消去される不具合を解消することができる。
第４発明の温熱環境制御システムによれば、有効時間の残り時間を申告者は目で確認することができる。
【００１７】
第５発明の温熱環境制御システムによれば、申告が消去されたことを申告者へ知らせることができ、申告者に対して再度の申告を促すことができる。
第６発明の温熱環境制御システムによれば、変更された温熱環境に対する不満について、新たな申告情報の入力を待ち受けることができる。その結果、複数の申告者の温熱環境に対する要望を、より正確に反映することができる。
【００１８】
第７発明の温熱環境制御方法によれば、複数の申告者からの申告を所定時間ごとに一斉に消去するステップを備えているので、複数の申告者の温熱環境に対する要望を、より正確に反映することができる。
第８発明の温熱環境制御方法によれば、申告のそれぞれを、申告が入力されたときから所定の有効時間が経過したときに個別に消去するステップを備えているので、複数の申告者の温熱環境に対する要望を、より正確に反映することができる。しかも、それぞれの申告について有効時間の経過前に申告が消去される不具合を解消することができる。
【発明を実施するための最良の形態】
【００１９】
［第１実施形態］
本発明の第１実施形態に係る温熱環境制御システムの概念図を図１に示す。また、本発明の第１実施形態に係る温熱環境制御システムの各構成要素の構成図を図２に示す。図１に示す空調制御システム１は、温熱環境提供手段を制御するシステムの一例として、主としてオフィスビルに設置される空調室外機７１および空調室内機７２からなる空気調和機７０を制御するシステムであり、対象空間ＲＭに一律の温熱環境を提供する。
【００２０】
＜空調制御システム１の全体構成＞
図１に示す空調制御システム１は、主として、空調管理装置１０、情報入力端末群４０（４１，４２，４３，４４）、空調室外機７１、空調室内機７２、通信線８０及び通信線９０を備えている。空調室外機７１および空調室内機７２は、通信線８０を介して空調管理装置１０と接続されている。空調室外機７１と空調室内機７２とは、通信線８０により接続されている。情報入力端末群４０（４１，４２，４３，４４）は、通信線９０を介して空調管理装置１０と接続されている。
【００２１】
＜空調管理装置１０の構成＞
図２に示すように、空調管理装置１０は、主として、申告受信部１９、制御信号送信部１６、判定部１１、制御変更部１２、一括申告消去部１３、および一括消去時間計測部１４を備えている。
申告受信部１９は、情報入力端末群４０（４１，４２，４３，４４）付近に居る申告者Ｐ１，Ｐ２，Ｐ３，Ｐ４の温熱環境に対する申告に関する情報である申告情報を、通信線９０経由で、情報入力端末群４０（４１，４２，４３，４４）から受信する。申告情報は、「冷やす」及び「暖める」のいずれか１つである。申告受信部１９は、申告情報を一括申告消去部１３へ渡す。
【００２２】
一括申告消去部１３は、所定時間である一括消去時間を経過したときに、空調管理装置１０に受信されているすべての申告情報を一斉に消去する。
一括消去時間計測部１４は、一括消去時間を計測し、一括消去時間に関する情報を一括申告消去部１３へ渡す。
判定部１１は、申告情報に基づいて、不満者率を演算する。例えば、図１に示す情報入力端末群４０（４１，４２，４３，４４）付近に居る申告者Ｐ１，Ｐ２，Ｐ３，Ｐ４の全体のうちの２５％が「冷やす」を申告する場合は、現時点の温熱環境に対して暑いという不満が２５％あると考え、不満者率が２５％とされる。図１に示す情報入力端末群４０（４１，４２，４３，４４）付近に居る申告者Ｐ１，Ｐ２，Ｐ３，Ｐ４の全体のうちの２５％が「暖める」を申告する場合も、同様に寒いという不満が２５％あると考え、不満者率が２５％とされる。判定部１１は、不満者率の情報を制御変更部１２に渡す。
【００２３】
制御変更部１２は、不満者率が所定値超（例えば、１０％超）であるか否か判断する。制御変更部１２は、不満者率が所定値超（例えば、１０％超）である場合、温熱環境を冷やす、または暖めるように空調制御を変更するための制御信号を選択する。制御変更部１２は、制御信号を制御信号送信部１６へ渡す。制御変更部１２が制御信号を制御信号送信部１６へ渡したとき、制御変更部１２は、空調管理装置１０に受信されているすべての申告情報を一斉に消去する。
【００２４】
制御信号送信部１６は、制御信号を通信線８０経由で空調室外機７１および空調室内機７２へ送信する。
＜制御対象となる空気調和装置の構成＞
図１に示すように、空気調和機７０は、主として、空調室外機７１と空調室内機７２とを備えている。空気調和機７０を構成する空調室外機７１および空調室内機７２は、通信線８０を介して空調管理装置１０と接続されている。空調室内機７２は、対象空間ＲＭの天井に埋設されている。
【００２５】
空調室外機７１と空調室内機７２とは、制御信号を通信線８０経由で空調管理装置１０から受信する。これにより、空気調和機７０の運転が制御される。
＜情報入力端末群４０の構成＞
情報入力端末群４０は、対象空間ＲＭに設置された複数の情報ネットワーク端末４１，４２，４３，４４からなる。個々の情報入力端末４１，４２，４３，４４には、情報入力端末４１，４２，４３，４４付近に居る申告者Ｐ１，Ｐ２，Ｐ３，Ｐ４の温熱環境に対する申告情報が入力される。個々の情報入力端末４１，４２，４３，４４は、共通の構造を有している。以下、情報入力端末４１の構成を例にあげて説明する。
【００２６】
情報入力端末４１は、図３に示されるように、表示部４５を備えている。表示部４５には、申告情報を入力するための申告情報入力部２０と、申告が消去されたことを示す消去表示部２４とが表示されている。申告情報入力部２０は、「冷やす」を申告するための第１申告ボタン２１と、「暖める」を申告するための第２申告ボタン２２と、第１申告ボタン２１および第２申告ボタン２２のいずれか一方を選択するためのカーソル２３とからなる。申告者は、情報入力端末４１に備え付けられたマウスなどの入力装置を用いてカーソル２３を移動させて、第１申告ボタン２１および第２申告ボタン２２のいずれか一方を選択することによって、「冷やす」および「暖める」のいずれかの申告（すなわち、申告情報の入力）を行うことができる。
【００２７】
選択された第１申告ボタン２１または第２申告ボタン２２は、色が変更するなどして、選択されたことを確認することができる。
ここで、１人の申告者が第１申告ボタン２１および第２申告ボタン２２を複数回選択した場合には、最後に選択されたボタンによる申告が採用される。たとえば、「冷やす」を申告する第１申告ボタン２１を選択した後、「暖める」を申告する第２申告ボタン２２を選択した場合、ただちに「冷やす」の申告は解除されて「暖める」の申告が採用される。このように、１人の申告者がボタンを複数回選択しても、結果的に１人の申告者につき１つの申告のみ採用される。
【００２８】
消去表示部２４は、申告情報が一斉に消去されたとき（具体的には、一括消去時間を経過した場合、または制御変更部１２が制御信号を制御信号送信部１６へ渡した場合において、申告情報が一斉に消去されたとき）に、申告情報が消去されたことを表示する。
【００２９】
＜空調制御システム１が空気調和機７０を制御する処理の流れ＞
空調制御システム１が空気調和機７０を制御する処理の流れを、図４のフローチャートを用いて説明する。
図４に示すステップＳ１では、申告が入力される。すなわち、情報入力端末群４０の個々の情報入力端末４１，４２，４３，４４には、情報入力端末４１，４２，４３，４４付近に居る申告者Ｐ１，Ｐ２，Ｐ３，Ｐ４の温熱環境に対する申告情報、具体的には、「冷やす」および「暖める」のいずれかに関する申告情報が入力される。
図４に示すステップＳ２では、所定時間が経過したか否か判定される。すなわち、一括消去時間計測部１４により、所定時間である一括消去時間が計測され、一括消去時間を経過した場合（ステップＳ２におけるＹｅｓの場合）には、ステップＳ６へ進み、申告情報は、一括申告消去部１３によって一斉に消去される。一括消去時間を経過していない場合（ステップＳ２におけるＮｏの場合）には、ステップＳ３へ進む。
【００３０】
図４に示すステップＳ３では、不満者率が演算される。すなわち、判定部１１によって、全体の申告者Ｐ１，Ｐ２，Ｐ３，Ｐ４の数に対する「冷やす」または「暖める」の申告数の割合を求めて不満者率が演算される。
図４に示すステップＳ４では、不満者率がしきい値Ａ１を超えたか否か判定される。すなわち、判定部１１によって、ステップＳ３で求められた不満者率が、所定のしきい値Ａ１を超えたか否かを判定し、所定のしきい値Ａ１を超えた場合（ステップＳ４におけるＹｅｓの場合）にはステップＳ５へ進み、超えていない場合（ステップＳ４におけるＮｏの場合）は、ステップＳ１へ戻る。
【００３１】
図４に示すステップＳ５では、空気調和機７０の制御が変更される。すなわち、所定のしきい値Ａ１を超えた「冷やす」または「暖める」の不満者率に基づいて、「冷やす」または「暖める」ための制御信号が、制御変更部１２から制御信号送信部１６へ送信される。制御信号は、通信線８０経由で制御信号送信部１６から空気調和機７０（具体的には、空調室外機７１および空調室内機７２）へ送信される。それにより、空気調和機７０では、「冷やす」または「暖める」の不満者率に対応して、冷房または暖房を強化するための空調制御の変更が行われる。
【００３２】
そののち、図４に示すステップＳ６では、申告情報は、制御変更部１２によって一斉に消去されて初期状態に戻される。ステップＳ６で申告情報が一斉に消去されたのち、ステップＳ１へ空調制御の処理が戻される。
＜申告情報を一斉に消去する動作例＞
つぎに、図５のタイムチャートを用いて、申告情報を一斉に消去する動作例を説明する。ここで、申告者は、Ｐ１，Ｐ２，Ｐ３，Ｐ４の４名であるとする。期間１〜期間４は、すべて所定の時間間隔Ｔ0（＝３０分）である。また、クリア時刻ｔ１〜クリア時刻ｔ４は、申告情報が一斉に消去される時刻を示す。さらに、不満者率が所定のしきい値Ａ１（＝５０％）以上のときに、空調制御の変更（この動作例では、冷房の強化）が行われるとする。
【００３３】
まず、期間１において、申告者Ｐ１から「冷やす」の申告が２回、すなわち、「冷やす」の申告情報Ｃ１１、Ｃ１２が入力される。ここで、同一の申告者Ｐ１からの申告情報の入力が２回あっても最初の申告情報Ｃ１１は消去され、最後の申告情報Ｃ１２のみ採用される。したがって、クリア時刻ｔ１までの不満者率（具体的には、４人の申告者の数に対する申告情報の数（Ｃ１２の１個だけ）の割合）は２５％であり、所定のしきい値（５０％）未満である。このため、冷房は強化されず、クリア時刻ｔ１において申告者Ｐ１からの申告情報Ｃ１２は消去される。
【００３４】
つぎに、期間２では、申告者Ｐ２から「冷やす」の申告情報Ｃ２１が入力されるが、申告者Ｐ１はすでに暑いという不満を感じなくなっているため、申告者Ｐ１からの申告情報の入力はなくなっている。したがって、期間２においても、不満者率は２５％であり、所定のしきい値（５０％）未満であるため、冷房は強化されない。
ここで、申告者Ｐ１にとっては、期間１では「冷やす」の申告情報Ｃ１２が入力されたが、クリア時刻ｔ１において申告情報Ｃ１２が消去されており、一方、期間２では暑いという不満を感じないので、申告情報の入力がされていない。したがって、申告者Ｐ１にとっての温熱環境に対する要望は正確に反映されている。また、これによって、不要な冷房の強化を避けることができる。
【００３５】
期間３では、申告者Ｐ３が「冷やす」の申告情報Ｃ３１を入力し、その後、申告者Ｐ２も依然として暑いと感じているため、「冷やす」の申告情報Ｃ２２を入力する。このため、この期間内では、申告情報Ｃ３１、Ｃ２２の数は２個となり、不満者率が５０％となる。その結果、申告者Ｐ２が申告情報Ｃ２２を入力した時刻ｔａに冷房が強化される。また、時刻ｔａにおいて、申告情報Ｃ３１、Ｃ２２は消去される。
【００３６】
ここで、申告情報は、クリア時刻ｔ１〜クリア時刻ｔ４を経過後に、一斉に消去されても、申告者が暑いと感じ続けていれば、「冷やす」の申告情報の入力を再度行うと考えられ、これによって、合理的に冷房が強化される。たとえば、図５において、申告者Ｐ２が期間２および期間３の両方で申告情報の入力を行うことにより、期間３では不満者率が５０％となり、合理的に冷房が強化されている。
なお、上述の申告情報を一斉に消去する動作例は、暖房を強化する動作も上述の要領で同様に行うことができる。
【００３７】
［第１実施形態の空調制御システムおよび空調制御方法の特徴］
（１）
第１実施形態の空調制御システム１は、空調制御システム１が一括申告消去部１３を備えているので、一括申告消去部１３によって、複数の申告者Ｐ１，Ｐ２，Ｐ３，Ｐ４からの申告情報が所定時間ごとに一斉に消去される。したがって、複数の申告者の温熱環境に対する要望を、より正確に反映している。
【００３８】
たとえば、図５に示されるように、期間１において、申告者Ｐ１が申告情報Ｃ１２を入力後、しばらく時間が経過すると申告者Ｐ１にとって温熱環境が快適になっている場合、所定の時間Ｔ0が経過後に申告情報Ｃ１２が消去されることで、申告者Ｐ１の温熱環境に対する要望を、より正確に反映している。これにより、不要な冷房または暖房の強化を避けている。
【００３９】
（２）
第１実施形態の空調制御システム１は、申告情報が消去されたときに、消去されたことを報知するために、消去表示部２４を備えている。このため、申告情報が消去されたことが、消去表示部２４によって申告者へ知らされる。その結果、申告者は、申告情報が消去されたときに再度の申告をするように促される。
【００４０】
（３）
第１実施形態の空調制御システム１は、制御変更部１２によって空気調和機７０の制御が変更されたときに、申告情報をすべて消去する。したがって、変更された温熱環境に対する不満について、新たな申告情報の入力が待ち受けられる。その結果、複数の申告者の温熱環境に対する要望が、より正確に反映される。
【００４１】
（４）
第１実施形態の空調制御システム１では、第１申告ボタン２１および第２申告ボタン２２は、通常行われている空気調和機の操作（設定温度の上下）と同じ要領で、任意の時刻に操作される。そのため、申告者に対する申告操作の負担感がなくなっている。
［第１実施形態の変形例］
（Ａ）
第１実施形態では、申告情報入力部２０として、「冷やす」を申告するための第１申告ボタン２１、および「暖める」を申告するための第２申告ボタン２２の２種類のボタンを有する例をあげて説明している。しかしながら、本発明はこれに限定されるものではなく、第１申告ボタン２１および第２申告ボタン２２の他に、さらに申告を解除するための解除ボタンを設けてもよい。この場合、申告者は、任意のときに自己の申告を解除することができ、その結果、申告者の温熱環境に対する要望が、より一層正確に反映される。
（Ｂ）
第１実施形態では、申告情報を入力するための手段として、第１申告ボタン２１、第２申告ボタン２２、カーソル２３などを表示する表示部４５を有する情報ネットワーク端末を例にあげて説明したが、本発明はこれに限定されるものではなく、他の入力手段を採用することができる。たとえば、「冷やす」を申告する第１ボタンおよび「暖める」を申告する第２ボタンとして、指で押すボタンを用いた端末でもよい。この場合、どのボタンが押されたかを確認できるように、ＬＥＤなどの点灯部を備えてもよい。
（Ｃ）
第１実施形態では、温熱環境を変化させるか否かを判定するための基準として、全体の申告者の数に対する申告情報の数の割合からなる不満者率を用いているが、本発明はこれに限定されるものではなく、種々の判定基準を採用することができる。たとえば、申告者の数の絶対値によって、温熱環境を変化させるか否かを判定し、空気調和機の制御を変更してもよい。
（Ｄ）
第１実施形態では、「冷やす」の申告情報と「暖める」の申告情報とが両方存在する場合も考えられるが、このような場合には「冷やす」の申告情報の数と「暖める」の申告情報の数とを相殺して、「冷やす」または「暖める」のいずれか一方の残りの申告情報の数に基づいて、温熱環境を変化させるか否か判定し、これによって空気調和機の制御を変更するようにしてもよい。
【００４２】
［第２実施形態］
第１実施形態では、温熱環境を変化させるか否かを判定するための基準として、全体の申告者の数に対する申告情報の数の割合からなる不満者率を用いているが、本発明はこれに限定されるものではなく、この第２実施形態のように、対象空間ＲＭに在室する申告者の数に対する申告情報の数の割合を、不満者率としてもよい。この場合、在室している複数の申告者の温熱環境に対する要望を、より正確に反映する。
＜空調制御システム１の構成＞
在室情報を用いた空調制御システム１では、図６に示されるように、対象空間ＲＭの内部に、申告者Ｐ１，Ｐ２，Ｐ３，Ｐ４がそれぞれ在室しているか否かを検出するために、在室検出部群１００（１０１，１０２，１０３，１０４）が設けられている。在室検出部群１００（１０１，１０２，１０３，１０４）は、情報入力端末群４０（４１，４２，４３，４４）付近に設けられている。在室検出部群１００（１０１，１０２，１０３，１０４）によって申告者Ｐ１，Ｐ２，Ｐ３，Ｐ４が在室しているか否かに関する情報である在室情報が生成される。在室情報は、通信線９０を介して空調管理装置３０に送信される。
また、図７に示されるように、空調管理装置３０には、在室情報を受信するための在室情報受信部３２が設けられている。在室情報は、在室情報受信部３２から判定部１１へ送信される。
なお、第２実施形態の空調制御システムのその他の構成については、第１実施形態と共通している。
【００４３】
＜空調制御システム１が空気調和機７０を制御する処理の流れ＞
空調制御システム１が在室情報を用いて空気調和機７０を制御する処理の流れを、図８のフローチャートを用いて説明する。
ステップＳ２１では、申告が入力される。すなわち、情報入力端末群４０の個々の情報入力端末４１，４２，４３，４４には、情報入力端末４１，４２，４３，４４付近に居る申告者Ｐ１，Ｐ２，Ｐ３，Ｐ４の温熱環境に対する申告情報が入力される。
ステップＳ２２では、在室人数が求められる。すなわち、在室検出部群１００（１０１，１０２，１０３，１０４）によって在室情報が生成され、通信線９０を介して空調管理装置３０の在室情報受信部３２に送信される。在室情報は、在室情報受信部３２から判定部１１へ送信される。判定部１１では、在室情報から在室人数が求められる。
【００４４】
ステップＳ２３では、所定時間が経過したか否か判定される。すなわち、一括消去時間計測部１４により、所定時間である一括消去時間が計測され、一括消去時間を経過した場合（ステップＳ２３におけるＹｅｓの場合）には、ステップＳ２７へ進み、申告情報は、一括申告消去部１３によって一斉に消去される。一括消去時間を経過していない場合（ステップＳ２３におけるＮｏの場合）には、ステップＳ２４へ進む。
【００４５】
ステップＳ２４では、現時点の在室人数についての不満者率が演算される。すなわち、判定部１１によって、現時点の在室人数に対する「冷やす」または「暖める」の申告数の割合を求めて不満者率が演算される。
ステップＳ２５では、不満者率がしきい値Ａ１を超えたか判定される。すなわち、判定部１１によって、ステップＳ２４で求められた不満者率が、所定のしきい値Ａ１を超えたか否かを判定し、所定のしきい値Ａ１を超えた場合（ステップＳ２５におけるＹｅｓの場合）にはステップＳ２６へ進み、超えていない場合（ステップＳ２５におけるＮｏの場合）は、ステップＳ２１へ戻る。
【００４６】
ステップＳ２６では、空気調和機７０の制御が変更される。すなわち、所定のしきい値Ａ１を超えた「冷やす」または「暖める」の不満者率に基づいて、「冷やす」または「暖める」ための制御信号が、制御変更部１２から制御信号送信部１６へ送信される。制御信号は、通信線８０経由で制御信号送信部１６から空気調和機７０（具体的には、空調室外機７１および空調室内機７２）へ送信される。それにより、空気調和機７０では、「冷やす」または「暖める」の不満者率に対応して、冷房または暖房を強化するための空調制御の変更が行われる。
そののち、ステップＳ２７では、申告情報は、制御変更部１２によって一斉に消去されて初期状態に戻される。ステップＳ２７で申告情報が一斉に消去されたのち、ステップＳ２１へ空調制御の処理が戻される。
【００４７】
［第２実施形態の空調制御システムおよび空調制御方法の特徴］
（１）
第２実施形態の空調制御システム１は、対象空間ＲＭに在室する申告者の数に対する申告情報の数の割合を、不満者率としているので、在室している複数の申告者の温熱環境に対する要望を、より正確に反映している。
［第３実施形態］
本発明の第３実施形態に係る温熱環境制御システムの概念図を図９に示す。また、本発明の第３実施形態に係る温熱環境制御システムの各構成要素の構成図を図１０に示す。図９に示す空調制御システム１は、図１に示す空調制御システム１と同様に、主としてオフィスビルに設置される空調室外機７１および空調室内機７２からなる空気調和機７０を制御するシステムであり、対象空間ＲＭに一律の温熱環境を提供する。
【００４８】
＜空調制御システム１の全体構成＞
図９に示す空調制御システム１は、図１に示す空調制御システム１と同様に、主として、空調管理装置５０、情報入力端末群４０（４１，４２，４３，４４）、空調室外機７１、空調室内機７２、通信線８０及び通信線９０を備えている。空調室外機７１および空調室内機７２は、通信線８０を介して空調管理装置５０と接続されている。空調室外機７１と空調室内機７２とは、通信線８０により接続されている。情報入力端末群４０（４１，４２，４３，４４）は、通信線９０を介して空調管理装置５０と接続されている。
【００４９】
＜空調管理装置５０の構成＞
図１０に示すように、空調管理装置５０は、主として、申告受信部１９、制御信号送信部１６、判定部１１、制御変更部１２、個別申告消去部５３、および個別消去時間計測部５４を備えている。
申告受信部１９は、情報入力端末群４０（４１，４２，４３，４４）付近に居る申告者Ｐ１，Ｐ２，Ｐ３，Ｐ４の温熱環境に対する申告に関する情報である申告情報を、通信線９０経由で受信する。申告情報は、「冷やす」及び「暖める」のいずれか１つである。申告受信部１９は、申告情報を個別申告消去部５３へ渡す。
【００５０】
個別申告消去部５３は、所定時間である個別消去時間を経過した申告情報を個別に消去する。
個別消去時間計測部５４は、それぞれの申告情報について個別消去時間を個別に計測し、個別消去時間に関する情報を個別申告消去部５３へ渡す。
判定部１１、制御変更部１２、および制御信号送信部１６は、第１実施形態と共通している。
【００５１】
すなわち、判定部１１は、申告情報に基づいて、不満者率を演算する。例えば、図９に示す情報入力端末群４０（４１，４２，４３，４４）付近に居る申告者Ｐ１，Ｐ２，Ｐ３，Ｐ４の全体のうちの２５％が「冷やす」を申告する場合は、現時点の温熱環境に対して暑いという不満が２５％あると考え、不満者率が２５％とされる。図９に示す情報入力端末群４０（４１，４２，４３，４４）付近に居る申告者Ｐ１，Ｐ２，Ｐ３，Ｐ４の全体のうちの２５％が「暖める」を申告する場合も、同様に寒いという不満が２５％あると考え、不満者率が２５％とされる。判定部１１は、不満者率の情報を制御変更部１２に渡す。
【００５２】
制御変更部１２は、不満者率が所定値超（例えば、１０％超）であるか否か判断する。制御変更部１２は、不満者率が所定値超（例えば、１０％超）である場合、温熱環境を冷やす、または暖めるように空調制御を変更するための制御信号を選択する。制御変更部１２は、制御信号を制御信号送信部１６へ渡す。制御変更部１２が制御信号を制御信号送信部１６へ渡したとき、制御変更部１２は、空調管理装置５０に受信されたすべての申告情報を一斉に消去する。
制御信号送信部１６は、制御信号を通信線８０経由で空調室外機７１および空調室内機７２へ送信する。
【００５３】
＜制御対象となる空気調和装置の構成＞
図９に示す空気調和機７０は、図１に示す空気調和機７０と共通しており、主として、空調室外機７１と空調室内機７２とを備えている。空気調和機７０は、通信線８０を介して空調管理装置５０と接続されている。空調室内機７２は、対象空間ＲＭの天井に埋設されている。
空調室外機７１と空調室内機７２とは、制御信号を通信線８０経由で空調管理装置５０から受信する。これにより、空気調和機７０の運転が制御される。
【００５４】
＜情報入力端末群４０の構成＞
図９に示す情報入力端末群４０は、図１に示す情報入力端末群４０と同様に、対象空間ＲＭに設置された複数の情報ネットワーク端末４１，４２，４３，４４からなる。個々の情報入力端末４１，４２，４３，４４には、情報入力端末４１，４２，４３，４４付近に居る申告者Ｐ１，Ｐ２，Ｐ３，Ｐ４の温熱環境に対する申告情報が入力される。個々の情報入力端末４１，４２，４３，４４は、共通の構造を有している。以下、情報入力端末４１の構成を例にあげて説明する。
【００５５】
情報入力端末４１は、図１１に示されるように、表示部４５を備えている。表示部４５には、申告情報を入力するための申告情報入力部２０と、申告が消去されたことを示す消去表示部２４と、情報入力端末４１から入力された申告情報の有効時間の残り時間を表示する残り時間表示部２５とが表示されている。申告情報入力部２０は、「冷やす」を申告するための第１申告ボタン２１と、「暖める」を申告するための第２申告ボタン２２と、第１申告ボタン２１および第２申告ボタン２２のいずれか一方を選択するためのカーソル２３とからなる。申告者は、情報入力端末４１に備え付けられたマウスなどの入力装置を用いてカーソル２３を移動させて、第１申告ボタン２１および第２申告ボタン２２のいずれか一方を選択することによって、「冷やす」および「暖める」のいずれかの申告を行うことができる。
【００５６】
選択された第１申告ボタン２１または第２申告ボタン２２は、色が変更するなどして、選択されたことを確認することができる。
ここで、１人の申告者が第１申告ボタン２１および第２申告ボタン２２を複数回選択した場合には、最後に選択されたボタンによる申告が採用される。たとえば、「冷やす」を申告する第１申告ボタン２１を選択した後、「暖める」を申告する第２申告ボタン２２を選択した場合、ただちに「冷やす」の申告は解除されて「暖める」の申告が採用される。このように、１人の申告者がボタンを複数回選択しても、結果的に１人の申告者につき１つの申告のみ採用される。
【００５７】
消去表示部２４は、申告情報が消去されたときに、申告情報が消去されたことを表示する。ここで、申告情報が消去されたときとは、具体的には２つの場合、すなわち、個別消去時間を経過した場合において申告情報が個別に消去された場合、および制御変更部１２が制御信号を制御信号送信部１６へ渡したときに申告情報が一斉に消去された場合である。
残り時間表示部２５は、情報入力端末４１から入力された申告情報の有効時間の残り時間を表示する。残り時間は、分単位で表示してもよいし、分秒を組み合わせて表示してもよい。
【００５８】
＜空調制御システム１が空気調和機７０を制御する処理の流れ＞
空調制御システム１が空気調和機７０を制御する処理の流れを、図１２のフローチャートを用いて説明する。
【００５９】
図１２に示すステップＳ３１では、申告が入力される。すなわち、情報入力端末群４０の個々の情報入力端末４１，４２，４３，４４には、情報入力端末４１，４２，４３，４４付近に居る申告者Ｐ１，Ｐ２，Ｐ３，Ｐ４の温熱環境に対する申告情報、具体的には、「冷やす」および「暖める」のいずれかに関する申告情報が入力される。
図１２に示すステップＳ３２では、個々の申告情報について有効時間が経過したか否か判定される。すなわち、個別消去時間計測部５４により、有効時間である個別消去時間が個々の申告情報について計測される。個別消去時間は、個々の申告情報の入力時刻を始点として計測される。ある申告情報が個別消去時間を経過した場合（ステップＳ３２におけるＹｅｓの場合）には、ステップＳ３７へ進み、個別消去時間を経過した申告情報は、個別申告消去部５３によって個別に消去される。申告情報が個別消去時間を経過していない場合（ステップＳ３２におけるＮｏの場合）には、ステップＳ３３へ進む。
【００６０】
図１２に示すステップＳ３３では、不満者率が演算される。すなわち、判定部１１によって、全体の申告者Ｐ１，Ｐ２，Ｐ３，Ｐ４の数に対する「冷やす」または「暖める」の申告数の割合を求めて不満者率が演算される。
図１２に示すステップＳ３４では、不満者率がしきい値Ａ１を超えたか判定される。すなわち、判定部１１によって、ステップＳ３３で求められた不満者率が、所定のしきい値Ａ１を超えたか否かを判定し、所定のしきい値Ａ１を超えた場合（ステップＳ３４におけるＹｅｓの場合）にはステップＳ３５へ進み、超えていない場合（ステップＳ３４におけるＮｏの場合）は、ステップＳ３１へ戻る。
【００６１】
図１２に示すステップＳ３５では、空気調和機７０の制御が変更される。すなわち、所定のしきい値Ａ１を超えた「冷やす」または「暖める」の不満者率に基づいて、「冷やす」または「暖める」ための制御信号が、制御変更部１２から制御信号送信部１６へ送信される。制御信号は、通信線８０経由で制御信号送信部１６から空気調和機７０（具体的には、空調室外機７１および空調室内機７２）へ送信される。それにより、空気調和機７０では、「冷やす」または「暖める」の不満者率に対応して、冷房または暖房を強化するための空調制御の変更が行われる。
【００６２】
そののち、図１２に示すステップＳ３６では、すべての申告情報は、制御変更部１２によって一斉に消去されて初期状態に戻される。ステップＳ３６で申告情報が一斉に消去されたのち、ステップＳ３１へ空調制御の処理が戻される。
＜申告情報を個別に消去する動作例＞
つぎに、図１３のタイムチャートを用いて、申告情報を個別に消去する動作例を説明する。ここで、申告者は、Ｐ１，Ｐ２，Ｐ３，Ｐ４の４名であるとする。すべての申告情報の有効時間は、すべて所定時間Ｔ1（＝３０分）である。また、不満者率が所定のしきい値Ａ１（＝５０％）以上のときに、空調制御の変更（この動作例では、冷房の強化）が行われるとする。
【００６３】
まず、最初に、申告者Ｐ１から「冷やす」の申告が２回、すなわち、「冷やす」の申告情報Ｄ１１、Ｄ１２が入力される。申告情報Ｄ１１の入力時刻から有効時間Ｔ１が経過する前に、申告情報Ｄ１２が入力されたので、最初の申告情報Ｄ１１は消去され、最後の申告情報Ｄ１２の入力時刻から有効時間が計測される。
最後の申告情報Ｄ１２の入力時刻から有効時間Ｔ1である３０分を経過しても、他の申告者からの申告情報の入力がないので、不満者率（具体的には、４人の申告者の数に対する申告情報の数（Ｄ１２の１個だけ）の割合）は２５％であり、所定のしきい値（５０％）未満である。このため、冷房は強化されず、３０分経過後に、申告者Ｐ１からの申告情報Ｄ１２は消去される。その後、申告者Ｐ１は、申告情報の入力をしていないので、温熱環境に対する不満が解消されたと推定される。
【００６４】
申告者Ｐ１からの申告情報Ｄ１２が消去された後、申告者Ｐ２から「冷やす」の申告情報Ｄ２１が入力される。申告情報Ｄ２１が入力された時点では、申告情報の数は１個（この場合、不満者率は２５％）なので、冷房は強化されない。
ここで、申告者Ｐ１にとっては、「冷やす」の申告情報Ｄ１２が入力されたが、有効時間経過後に申告情報Ｄ１２が消去され、その後、申告者Ｐ１は暑いという不満を感じないので、申告情報の入力がされていない。したがって、申告者Ｐ１にとっての温熱環境に対する要望は正確に反映されている。また、不要な冷房の強化を避けることができる。
【００６５】
申告者Ｐ２からの申告情報Ｄ２１の入力時刻から３０分を経過する前の時刻ｔｂにおいて、他の申告者Ｐ３から「冷やす」の申告情報Ｄ３１が入力されたとき、申告情報の数は２個となり、不満者率は５０％となるので、冷房が強化される。また、時刻ｔｂにおいて、申告者Ｐ２および申告者Ｐ３の申告情報Ｄ２１、Ｄ３１は消去される。
申告情報Ｄ２１、Ｄ３１が消去された後、申告者Ｐ４から「冷やす」の申告情報Ｄ４１が入力されるが、他の申告者Ｐ１、Ｐ２、Ｐ３からの申告情報はすべて消去されているので、冷房がさらに強化されることがなく、その時点の空調制御の状態を維持する。
【００６６】
さらに、申告者Ｐ４からの申告情報Ｄ４１の入力時刻から３０分の有効時間内に、他の申告者からの申告情報の入力がないので、不満者率は５０％以上にならず、冷房は強化されない。したがって、申告情報Ｄ４１は、その入力時刻から３０分経過後に消去される。
図１３に示される動作例の場合、不満者率が５０％を超えるまでは、個々の申告者毎に最後に申告情報の入力がされてから３０分の有効時間が確保されている。したがって、第１実施形態の動作例（図５参照）における申告者Ｐ２からの申告情報Ｃ２１のように、不満者率が５０％を超えていないのに、申告情報Ｃ２１が入力されてから即時に消去される不具合がない。
【００６７】
［第３実施形態の空調制御システムおよび空調制御方法の特徴］
（１）
第３実施形態の空調制御システム１は、空調制御システム１が個別申告消去部５３を備えているので、複数の申告者Ｐ１，Ｐ２，Ｐ３，Ｐ４からの申告情報のそれぞれを、申告情報が入力されたときから所定の有効時間が経過したときに個別に消去する。したがって、複数の申告者の温熱環境に対する要望を、より正確に反映している。
たとえば、図１３に示されるように、申告者Ｐ１が申告情報Ｄ１２を入力後、所定の有効時間Ｔ1が経過した後に、申告者Ｐ１にとって温熱環境が快適になっている場合、所定の有効時間Ｔ1が経過後に申告情報Ｄ１２が消去されることで、申告者Ｐ１の温熱環境に対する要望を、より正確に反映している。これにより、不要な冷房または暖房の強化を避けている。
【００６８】
（２）
第３実施形態の空調制御システム１では、個別申告消去部５３により、申告情報のそれぞれが、申告情報が入力されたときから所定の有効時間が経過したときに個別に消去されるので、それぞれの申告情報については有効時間の経過前に申告情報が消去される不具合がない。したがって、第１実施形態の動作例（図５参照）における申告者Ｐ２からの申告情報Ｃ２１のように、不満者率が５０％を超えていないのに、申告情報２１が入力してから即時に消去される不具合がない。
【００６９】
（３）
第３実施形態の空調制御システム１では、１人の申告者からの申告情報の入力が複数回あった場合、個別申告消去部５３は、申告情報が最後に入力されたときから所定の有効時間が経過したときに申告情報を個別に消去する。したがって、１人の申告者が有効時間内に複数回の申告を行った場合でも、最後の申告情報が入力されたときから有効時間の経過前に申告が消去される不具合がない。
【００７０】
（４）
第３実施形態の空調制御システム１は、有効時間の残り時間を表示する残り時間表示部２５をさらに備えている。したがって、申告者は、自分が入力した申告情報についての有効時間の残り時間を目で確認することができる。
（５）
第３実施形態の空調制御システム１は、申告情報が消去されたときに、消去されたことを報知するために、消去表示部２４をさらに備えている。このため、申告情報が消去されたことが、消去表示部２４によって申告者へ知らされ、その結果、申告者は、申告情報が消去されたときに再度の申告をするように促される。
【００７１】
（６）
第３実施形態の空調制御システム１は、制御変更部１２によって空気調和機７０の制御が変更されたときに、申告情報をすべて消去するので、変更された温熱環境に対する不満について、新たな申告情報の入力が待ち受けられる。その結果、複数の申告者の温熱環境に対する要望を、より正確に反映することができる。
【図面の簡単な説明】
【００７２】
【図１】本発明の第１実施形態に係る温熱環境制御システムの概念図。
【図２】図１の温熱環境制御システムの各構成要素の構成図。
【図３】図１の情報入力端末の表示部の概略図。
【図４】本発明の第１実施形態に係る温熱環境制御方法の処理の流れを示すフローチャート。
【図５】本発明の第１実施形態に係る温熱環境制御方法における申告情報を一斉に消去する動作例を示すタイムチャート。
【図６】本発明の第２実施形態に係る温熱環境制御システムの概念図。
【図７】図６の温熱環境制御システムの各構成要素の構成図。
【図８】本発明の第２実施形態に係る温熱環境制御方法の処理の流れを示すフローチャート。
【図９】本発明の第３実施形態に係る温熱環境制御システムの概念図。
【図１０】図９の温熱環境制御システムの各構成要素の構成図。
【図１１】図９の情報入力端末の表示部の概略図。
【図１２】本発明の第３実施形態に係る温熱環境制御方法の処理の流れを示すフローチャート。
【図１３】本発明の第３実施形態に係る温熱環境制御方法における申告情報を個別に消去する動作例を示すタイムチャート。
【符号の説明】
【００７３】
１１      判定部
１２      制御変更部
１３      一括申告消去部
２４      消去報知部
２５      残り時間表示部
４０      情報入力端末群（申告入力部）
５３      個別申告消去部
７０      空気調和機（温熱環境提供手段）
【図１】
2006090668.tif 000003
【図２】
2006090668.tif 000004
【図３】
2006090668.tif 000005
【図４】
2006090668.tif 000006
【図５】
2006090668.tif 000007
【図６】
2006090668.tif 000008
【図７】
2006090668.tif 000009
【図８】
2006090668.tif 000010
【図９】
2006090668.tif 000011
【図１０】
2006090668.tif 000012
【図１１】
2006090668.tif 000013
【図１２】
2006090668.tif 000014
【図１３】
2006090668.tif 000015